(57)【要約】    【課題】      作業者の手および貼付機自体の汚れを防止し、インキローラー７の交換ないし取付け作業を確実かつ迅速に実行可能な携帯式ラベル印字貼付機のインキローラー収納容器、インキローラー交換方法およびインキローラー取付け方法を提供すること。    【解決手段】  インキローラー７を収納容器４０に容れて貼付機に着脱すること、貼付機本体２Ａの側面に開口形成した着脱用窓２Ｃに係脱する容器本体４１を準備することに着目し、ローラー取付け部８にインキローラー７を供給可能とする容器本体４１と、貼付機本体側板２Ａに形成した着脱用窓２Ｃに挿脱可能なガイド部４３と、を有し、ガイド部４３および着脱用窓２Ｃを介して容器本体４１内のインキローラー７を開口部４５からローラー取付け部８に取り付け可能とすることを特徴とする。【選択図】        図８
2006289760.tif 000002
【特許請求の範囲】
【請求項１】
貼付機本体側板と、
この貼付機本体側板と協働する操作部と、
帯状のラベル連続体を保持するラベル保持部と、
前記操作部の操作によりこのラベル保持部から前記ラベル連続体を繰り出して移送するラベル移送部と、
前記操作部の操作により前記ラベル連続体に印字を行う印字器と、
この印字器にインキを供給するとともにその軸方向に取付け用の中央貫通孔を形成したインキローラーと、
この中央貫通孔に挿脱可能でこのインキローラーを着脱可能とする取付けピンを有し、このインキローラーを前記印字器に対向して取り付けるローラー取付け部と、
前記ラベル連続体のラベルを台紙から剥離するラベル剥離部と、
このラベル剥離部から剥離された前記ラベルを所定の物品に貼り付けるためのラベル貼付部と、を有する携帯式ラベル印字貼付機のインキローラー収納容器であって、
前記インキローラーを収納して保管可能であるとともに、前記ローラー取付け部に前記インキローラーを供給可能とする容器本体と、
この容器本体の開口部側に位置しているとともに、前記貼付機本体側板に形成した着脱用窓に挿脱可能なガイド部と、
前記容器本体の前記開口部を開閉するキャップと、
を有し、
前記ガイド部および前記着脱用窓を介して前記容器本体内の前記インキローラーを前記開口部から前記ローラー取付け部に取り付け可能とすることを特徴とする携帯式ラベル印字貼付機のインキローラー収納容器。
【請求項２】
前記容器本体は、
前記着脱用窓が位置する前記貼付機本体側板に係合して、前記容器本体が前記貼付機本体側板の内方に所定長さ以上突出することを制止するストッパー部を有することを特徴とする請求項１記載の携帯式ラベル印字貼付機のインキローラー収納容器。
【請求項３】
前記容器本体は、
前記インキローラーの前記中央貫通孔が前記開口部から前記貼付機本体側板の内方に向かうことができるように前記インキローラーを収納していることを特徴とする請求項１記載の携帯式ラベル印字貼付機のインキローラー収納容器。
【請求項４】
前記ガイド部は、
前記インキローラーを前記容器本体から前記ローラー取付け部にまで送り込むことができるだけの長さを有することを特徴とする請求項１記載の携帯式ラベル印字貼付機のインキローラー収納容器。
【請求項５】
前記ガイド部は、
前記インキローラーを前記容器本体から前記取り付けピンに係合可能とするだけの長さを有することを特徴とする請求項１記載の携帯式ラベル印字貼付機のインキローラー収納容器。
【請求項６】
前記ローラー取付け部の前記取付けピンの先端部は、
前記インキローラーの前記中央貫通孔に向かって先細となるテーパー部を有することを特徴とする請求項１記載の携帯式ラベル印字貼付機のインキローラー収納容器。
【請求項７】
前記インキローラーの前記中央貫通孔は、前記ローラー取付け部の前記取付けピンの先端部に向かって広がるテーパー部を有することを特徴とする請求項１記載の携帯式ラベル印字貼付機のインキローラー収納容器。
【請求項８】
前記貼付機本体側板の前記着脱用窓の外面部から前記取付けピンの先端までの距離をＸとし、
前記容器本体が前記貼付機本体側板の前記着脱用窓から前記貼付機本体側板の内方に向かって突出する長さをＹとしたときに、
Ｘ＜Ｙ、
とすることを特徴とする請求項１記載の携帯式ラベル印字貼付機のインキローラー収納容器。
【請求項９】
前記貼付機本体側板の前記着脱用窓の外面部から前記取付けピンの先端までの距離をＸとし、
前記ガイド部の長さをＹとしたときに、
Ｘ＜Ｙ、
とすることを特徴とする請求項１記載の携帯式ラベル印字貼付機のインキローラー収納容器。
【請求項１０】
前記貼付機本体側板の前記着脱用窓の内壁部から前記取付けピンの最先端部までの距離をＡとし、
前記インキローラーの最大外径部からその前記中央貫通孔の最大内径部までの距離をＢとし、
前記容器本体の最大内径部と前記インキローラーの最大外径部との差をＣとし、
前記ガイド部の肉厚をＤとし、
前記貼付機本体側板の前記着脱用窓の最大内径部と前記ガイド部の最大外径部との差をＥとしたときに、
Ｂ＋Ｃ＋Ｄ＋Ｅ＜Ａ、
とすることを特徴とする請求項１記載の携帯式ラベル印字貼付機のインキローラー収納容器。
【請求項１１】
貼付機本体側板と、
この貼付機本体側板と協働する操作部と、
帯状のラベル連続体を保持するラベル保持部と、
前記操作部の操作によりこのラベル保持部から前記ラベル連続体を繰り出して移送するラベル移送部と、
前記操作部の操作により前記ラベル連続体に印字を行う印字器と、
この印字器にインキを供給するとともにその軸方向に取付け用の中央貫通孔を形成したインキローラーと、
この中央貫通孔に挿脱可能でこのインキローラーを着脱可能とする取付けピンを有し、この取付けピンの奥側一端部を固定して支持する奥側揺動アームとこの取付けピンの手前側一端部を係脱可能に支持する手前側揺動アームとを有して、このインキローラーを前記印字器に対向して取り付けるローラー取付け部と、
前記ラベル連続体のラベルを台紙から剥離するラベル剥離部と、
このラベル剥離部から剥離された前記ラベルを所定の物品に貼り付けるためのラベル貼付部と、を有する携帯式ラベル印字貼付機のインキローラー交換方法であって、
前記インキローラーを収納して保管可能であるとともに、前記ローラー取付け部に前記インキローラーを供給可能とする容器本体と、
この容器本体の開口部側に位置しているとともに、前記貼付機本体側板に形成した着脱用窓に挿脱可能なガイド部と、
前記容器本体の前記開口部を開閉するキャップと、を有するインキローラー収納容器を準備し、
前記ローラー取付け部の前記手前側揺動アームと前記取付けピンとの係合を解除した上で、前記着脱用窓を鉛直方向下方側に向けるように前記貼付機本体側板を傾斜して前記インキローラーを前記取付けピンから取り外し、前記着脱用窓から前記貼付機本体側板の外部に排出するローラー取外し工程と、
前記キャップを取り外した前記容器本体の前記開口部を前記貼付機本体側板の前記着脱用窓にあてがって前記ガイド部を前記取付けピンの軸方向に合せるとともに、前記ローラー取付け部の前記手前側揺動アームを前記取付けピンとの係合を解除する状態にした上で、前記着脱用窓を鉛直方向上方側に向けるように前記貼付機本体側板および前記容器本体を傾斜して前記容器本体内の前記インキローラーを前記ガイド部、前記開口部および前記着脱用窓から前記取付けピンに係合するように前記ローラー取付け部に取り付けるローラー取付け工程と、
前記手前側揺動アームを前記取付けピンに係合させるように原係合位置に復帰させるアーム復帰工程と、
前記容器本体を前記着脱用窓から分離する容器本体分離工程と、
を有することを特徴とする携帯式ラベル印字貼付機のインキローラー交換方法。
【請求項１２】
貼付機本体側板と、
この貼付機本体側板と協働する操作部と、
帯状のラベル連続体を保持するラベル保持部と、
前記操作部の操作によりこのラベル保持部から前記ラベル連続体を繰り出して移送するラベル移送部と、
前記操作部の操作により前記ラベル連続体に印字を行う印字器と、
この印字器にインキを供給するとともにその軸方向に取付け用の中央貫通孔を形成したインキローラーと、
この中央貫通孔に挿脱可能でこのインキローラーを着脱可能とする取付けピンを有し、この取付けピンの奥側一端部を固定して支持する奥側揺動アームとこの取付けピンの手前側一端部を係脱可能に支持する手前側揺動アームとを有して、このインキローラーを前記印字器に対向して取り付けるローラー取付け部と、
前記ラベル連続体のラベルを台紙から剥離するラベル剥離部と、
このラベル剥離部から剥離された前記ラベルを所定の物品に貼り付けるためのラベル貼付部と、を有する携帯式ラベル印字貼付機のインキローラー取付け方法であって、
前記インキローラーを収納して保管可能であるとともに、前記ローラー取付け部に前記インキローラーを供給可能とする容器本体と、
この容器本体の開口部側に位置しているとともに、前記貼付機本体側板に形成した着脱用窓に挿脱可能なガイド部と、
前記容器本体の前記開口部を開閉するキャップと、を有するインキローラー収納容器を準備し、
前記キャップを取り外した前記容器本体の前記開口部を前記貼付機本体側板の前記着脱用窓にあてがって前記ガイド部を前記取付けピンの軸方向に合せるとともに、前記ローラー取付け部の前記手前側揺動アームを前記取付けピンとの係合を解除する状態にした上で、前記着脱用窓を鉛直方向上方側に向けるように前記貼付機本体側板および前記容器本体を傾斜して前記容器本体内の前記インキローラーを前記ガイド部、前記開口部および前記着脱用窓から前記取付けピンに係合するように前記ローラー取付け部に取り付けるローラー取付け工程と、
前記手前側揺動アームを前記取付けピンに係合させるように原係合位置に復帰させるアーム復帰工程と、
前記容器本体を前記着脱用窓から分離する容器本体分離工程と、
を有することを特徴とする携帯式ラベル印字貼付機のインキローラー取付け方法。
【発明の詳細な説明】
【技術分野】
【０００１】
本発明は携帯式ラベル印字貼付機のインキローラー収納容器、インキローラー交換方法およびインキローラー取付け方法にかかるもので、とくに印字器にインキを供給するためのインキローラーを交換する必要がある携帯式ラベル印字貼付機のインキローラー収納容器、インキローラー交換方法およびインキローラー取付け方法に関するものである。
【背景技術】
【０００２】
従来の携帯式ラベル印字貼付機は、帯状の台紙（剥離紙）に複数枚のラベルを仮着したラベル連続体を装填し、このラベル連続体を移送し、印字し、台紙からラベルを剥離し、所定の物品に貼り付けるものであるが、印字器によるスタンプ印字のためのインキローラーを必要とし、このインキローラーの交換ないし取付け作業が面倒であるという問題がある。
従来のインキローラー交換機構としては、貼付機本体の前方からインキローラーをそのホルダーごと取り外してインキローラーを取り替えるようなものもあるが、インキローラーによる手などの汚れを気にせずに、その交換作業をすばやく行うことは困難であるという問題がある。
【０００３】
なお、特許文献１のような技術も開発されているが、インキローラーによる手の汚れおよび貼付機自体の汚れを防止することは困難であった。
【０００４】
【特許文献１】実用新案登録第３００８００３号公報
【発明の開示】
【発明が解決しようとする課題】
【０００５】
本発明は以上のような諸問題にかんがみなされたもので、インキローラーの取扱いが容易かつ簡便である携帯式ラベル印字貼付機のインキローラー収納容器、インキローラー交換方法およびインキローラー取付け方法を提供することを課題とする。
【０００６】
また本発明は、インキローラーの交換ないし取付け作業にともなう作業者の手および貼付機自体の汚れを防止可能な携帯式ラベル印字貼付機のインキローラー収納容器、インキローラー交換方法およびインキローラー取付け方法を提供することを課題とする。
【０００７】
また本発明は、インキローラーによる手などの汚れを気にせずに、インキローラーの交換ないし取付け作業を確実かつ迅速に実行可能な携帯式ラベル印字貼付機のインキローラー収納容器、インキローラー交換方法およびインキローラー取付け方法を提供することを課題とする。
【課題を解決するための手段】
【０００８】
すなわち本発明は、インキローラーを収納容器に容れて貼付機に着脱すること、貼付機本体の側面に開口形成した着脱用窓に係脱する容器本体を準備することに着目したもので、第一の発明は、貼付機本体側板と、この貼付機本体側板と協働する操作部と、帯状のラベル連続体を保持するラベル保持部と、上記操作部の操作によりこのラベル保持部から上記ラベル連続体を繰り出して移送するラベル移送部と、上記操作部の操作により上記ラベル連続体に印字を行う印字器と、この印字器にインキを供給するとともにその軸方向に取付け用の中央貫通孔を形成したインキローラーと、この中央貫通孔に挿脱可能でこのインキローラーを着脱可能とする取付けピンを有し、このインキローラーを上記印字器に対向して取り付けるローラー取付け部と、上記ラベル連続体のラベルを台紙から剥離するラベル剥離部と、このラベル剥離部から剥離された上記ラベルを所定の物品に貼り付けるためのラベル貼付部と、を有する携帯式ラベル印字貼付機のインキローラー収納容器であって、上記インキローラーを収納して保管可能であるとともに、上記ローラー取付け部に上記インキローラーを供給可能とする容器本体と、この容器本体の開口部側に位置しているとともに、上記貼付機本体側板に形成した着脱用窓に挿脱可能なガイド部と、上記容器本体の上記開口部を開閉するキャップと、を有し、上記ガイド部および上記着脱用窓を介して上記容器本体内の上記インキローラーを上記開口部から上記ローラー取付け部に取り付け可能とすることを特徴とする携帯式ラベル印字貼付機のインキローラー収納容器である。
【０００９】
第二の発明は、当該インキローラー収納容器を用いたインキローラー交換方法であり、貼付機本体側板と、この貼付機本体側板と協働する操作部と、帯状のラベル連続体を保持するラベル保持部と、上記操作部の操作によりこのラベル保持部から上記ラベル連続体を繰り出して移送するラベル移送部と、上記操作部の操作により上記ラベル連続体に印字を行う印字器と、この印字器にインキを供給するとともにその軸方向に取付け用の中央貫通孔を形成したインキローラーと、この中央貫通孔に挿脱可能でこのインキローラーを着脱可能とする取付けピンを有し、この取付けピンの奥側一端部を固定して支持する奥側揺動アームとこの取付けピンの手前側一端部を係脱可能に支持する手前側揺動アームとを有して、このインキローラーを上記印字器に対向して取り付けるローラー取付け部と、上記ラベル連続体のラベルを台紙から剥離するラベル剥離部と、このラベル剥離部から剥離された上記ラベルを所定の物品に貼り付けるためのラベル貼付部と、を有する携帯式ラベル印字貼付機のインキローラー交換方法であって、上記インキローラーを収納して保管可能であるとともに、上記ローラー取付け部に上記インキローラーを供給可能とする容器本体と、この容器本体の開口部側に位置しているとともに、上記貼付機本体側板に形成した着脱用窓に挿脱可能なガイド部と、上記容器本体の上記開口部を開閉するキャップと、を有するインキローラー収納容器を準備し、上記ローラー取付け部の上記手前側揺動アームと上記取付けピンとの係合を解除した上で、上記着脱用窓を鉛直方向下方側に向けるように上記貼付機本体側板を傾斜して上記インキローラーを上記取付けピンから取り外し、上記着脱用窓から上記貼付機本体側板の外部に排出するローラー取外し工程と、上記キャップを取り外した上記容器本体の上記開口部を上記貼付機本体側板の上記着脱用窓にあてがって上記ガイド部を上記取付けピンの軸方向に合せるとともに、上記ローラー取付け部の上記手前側揺動アームを上記取付けピンとの係合を解除する状態にした上で、上記着脱用窓を鉛直方向上方側に向けるように上記貼付機本体側板および上記容器本体を傾斜して上記容器本体内の上記インキローラーを上記ガイド部、上記開口部および上記着脱用窓から上記取付けピンに係合するように上記ローラー取付け部に取り付けるローラー取付け工程と、上記手前側揺動アームを上記取付けピンに係合させるように原係合位置に復帰させるアーム復帰工程と、上記容器本体を上記着脱用窓から分離する容器本体分離工程と、を有することを特徴とする携帯式ラベル印字貼付機のインキローラー交換方法である。
【００１０】
第三の発明は、当該インキローラー収納容器を用いたインキローラー取付け方法であり、貼付機本体側板と、この貼付機本体側板と協働する操作部と、帯状のラベル連続体を保持するラベル保持部と、上記操作部の操作によりこのラベル保持部から上記ラベル連続体を繰り出して移送するラベル移送部と、上記操作部の操作により上記ラベル連続体に印字を行う印字器と、この印字器にインキを供給するとともにその軸方向に取付け用の中央貫通孔を形成したインキローラーと、この中央貫通孔に挿脱可能でこのインキローラーを着脱可能とする取付けピンを有し、この取付けピンの奥側一端部を固定して支持する奥側揺動アームとこの取付けピンの手前側一端部を係脱可能に支持する手前側揺動アームとを有して、このインキローラーを上記印字器に対向して取り付けるローラー取付け部と、上記ラベル連続体のラベルを台紙から剥離するラベル剥離部と、このラベル剥離部から剥離された上記ラベルを所定の物品に貼り付けるためのラベル貼付部と、を有する携帯式ラベル印字貼付機のインキローラー取付け方法であって、上記インキローラーを収納して保管可能であるとともに、上記ローラー取付け部に上記インキローラーを供給可能とする容器本体と、この容器本体の開口部側に位置しているとともに、上記貼付機本体側板に形成した着脱用窓に挿脱可能なガイド部と、上記容器本体の上記開口部を開閉するキャップと、を有するインキローラー収納容器を準備し、上記キャップを取り外した上記容器本体の上記開口部を上記貼付機本体側板の上記着脱用窓にあてがって上記ガイド部を上記取付けピンの軸方向に合せるとともに、上記ローラー取付け部の上記手前側揺動アームを上記取付けピンとの係合を解除する状態にした上で、上記着脱用窓を鉛直方向上方側に向けるように上記貼付機本体側板および上記容器本体を傾斜して上記容器本体内の上記インキローラーを上記ガイド部、上記開口部および上記着脱用窓から上記取付けピンに係合するように上記ローラー取付け部に取り付けるローラー取付け工程と、上記手前側揺動アームを上記取付けピンに係合させるように原係合位置に復帰させるアーム復帰工程と、上記容器本体を上記着脱用窓から分離する容器本体分離工程と、を有することを特徴とする携帯式ラベル印字貼付機のインキローラー取付け方法である。
【００１１】
上記容器本体は、上記着脱用窓が位置する上記貼付機本体側板に係合して、上記容器本体が上記貼付機本体側板の内方に所定長さ以上突出することを制止するストッパー部を有することができる。
【００１２】
上記容器本体は、上記インキローラーの上記中央貫通孔が上記開口部から上記貼付機本体側板の内方に向かうことができるように上記インキローラーを収納していることができる。
【００１３】
上記ガイド部は、上記インキローラーを上記容器本体から上記ローラー取付け部にまで送り込むことができるだけの長さを有することができる。
【００１４】
上記ガイド部は、上記インキローラーを上記容器本体から上記取り付けピンに係合可能とするだけの長さを有することができる。
【００１５】
上記ローラー取付け部の上記取付けピンの先端部は、上記インキローラーの上記中央貫通孔に向かって先細となるテーパー部を有することができる。
【００１６】
上記インキローラーの上記中央貫通孔は、上記ローラー取付け部の上記取付けピンの先端部に向かって広がるテーパー部を有することができる。
【００１７】
上記貼付機本体側板の上記着脱用窓の外面部から上記取付けピンの先端までの距離をＸとし、上記容器本体が上記貼付機本体側板の上記着脱用窓から上記貼付機本体側板の内方に向かって突出する長さをＹとしたときに、Ｘ＜Ｙ、とすることができる。
【００１８】
上記貼付機本体側板の上記着脱用窓の外面部から上記取付けピンの先端までの距離をＸとし、上記ガイド部の長さをＹとしたときに、Ｘ＜Ｙ、とすることができる。
【００１９】
上記貼付機本体側板の上記着脱用窓の内壁部から上記取付けピンの最先端部までの距離をＡとし、上記インキローラーの最大外径部からその上記中央貫通孔の最大内径部までの距離をＢとし、上記容器本体の最大内径部と上記インキローラーの最大外径部との差をＣとし、上記ガイド部の肉厚をＤとし、上記貼付機本体側板の上記着脱用窓の最大内径部と上記ガイド部の最大外径部との差をＥとしたときに、Ｂ＋Ｃ＋Ｄ＋Ｅ＜Ａ、とすることができる。
【００２０】
上記容器本体は、その色を赤、青、黒など各種準備することにより、その中に収納するインキローラーのインキの色を識別可能とすることができる。
【発明の効果】
【００２１】
本発明による携帯式ラベル印字貼付機のインキローラー収納容器、インキローラー交換方法およびインキローラー取付け方法においては、貼付機本体（貼付機本体側板）の側面に開口形成した着脱用窓に係脱する容器本体にインキローラーを収納するようにしたので、作業者はインキローラーを直接触れることなく、容器本体の取扱いのみでインキローラーを着脱用窓から滑り出すように取り出し、また、ローラー取付け部にインキローラーを送り込むことができるため、手はもちろん貼付機本体を汚すことなく、かつ手の汚れの心配がないので、安心して迅速に交換ないし取付け作業を行うことができる。
なお、容器本体にたとえばフランジ状のストッパー部を形成すれば、インキローラーの交換時ないし取付け時の容器本体の位置決めを確実に行って、作業をより迅速かつ簡単に行うことができる。また、このストッパー部は、容器本体へのキャップの固定用部材としても利用することができる。
【００２２】
とくに第一の発明によれば、インキローラーを収納して保管する容器本体と、この容器本体の開口部側に位置して着脱用窓に挿脱可能なガイド部と、を設けて、ガイド部および着脱用窓を介してインキローラーを開口部からローラー取付け部に取り付け可能としたので、作業者の手および貼付機本体側板をインキで汚すことなく、容易にインキローラーを取付けることができる。
【００２３】
とくに第二の発明によれば、ローラー取付け部の手前側揺動アームと取付けピンとの係合を解除した上で、着脱用窓を鉛直方向下方側に向けるように貼付機本体側板を傾斜してインキローラーを取付けピンから取り外すローラー取外し工程と、容器本体の開口部を貼付機本体側板の着脱用窓にあてがい、ローラー取付け部の手前側揺動アームを取付けピンとの係合を解除する状態にした上で、着脱用窓を鉛直方向上方側に向けるように貼付機本体側板および容器本体を傾斜して容器本体内のインキローラーを取付けピンに係合するようにローラー取付け部に取り付けるローラー取付け工程と、を実行するようにしたので、貼付機本体側板の所定方向への傾斜操作により、インキローラーのインキによる手や貼付機本体の汚れを気にすることなく安心して交換作業を行うことができる。
【００２４】
とくに第三の発明によれば、キャップを取り外した容器本体の開口部を貼付機本体側板の着脱用窓にあてがってガイド部を取付けピンの軸方向に合せるとともに、ローラー取付け部の手前側揺動アームを取付けピンとの係合を解除する状態にした上で、着脱用窓を鉛直方向上方側に向けるように貼付機本体側板および容器本体を傾斜して容器本体内のインキローラーをガイド部、開口部および着脱用窓から取付けピンに係合するようにローラー取付け部に取り付けるようにしたので、貼付機本体側板の所定方向への傾斜操作により、貼付機本体内の機構との係合状態（ローラ取付け部ないしその取付けピンとガイド部およびインキローラーとの相対位置関係）を気にすることなく、簡単にインキローラーの取付け作業を行うことができる。
【発明を実施するための最良の形態】
【００２５】
本発明は、インキローラーをその軸方向にスライドするように収納可能な容器本体およびその開口部につながるガイド部を設けたので、簡単かつ迅速に、また手や貼付機本体を汚すことなく、インキローラーの交換ないし取付け作業が可能な携帯式ラベル印字貼付機のインキローラー収納容器、インキローラー交換方法およびインキローラー取付け方法を実現した。
【実施例】
【００２６】
つぎに本発明の第１の実施例によるインキローラー収納容器４０（図５、図６）とともに用いる携帯式ラベル印字貼付機、そのインキローラー交換方法およびインキローラー取付け方法を図１ないし図１２にもとづき説明する。
図１は、携帯式ラベル印字貼付機１の概略側面図であり、携帯式ラベル印字貼付機１は、貼付機本体側板２と、操作部３と、ラベル保持部４と、ラベル移送部５と、印字器６と、インキローラー７と、ローラー取付け部８と、ラベル剥離部９と、ラベル貼付部１０と、を有する。
図２は、ローラー取付け部８を印字器６側から見た要部説明図、図３は、ローラー取付け部８の斜視図である。
【００２７】
貼付機本体側板２は、左右一対のハウジング部材であって、たとえば、図２中右側の貼付機本体側板２Ａ（ローラー着脱用側板）および左側の貼付機本体側板２Ｂからこれを構成するととともに、その後方部にグリップ１１（図１）を一体に形成している。
【００２８】
操作部３は、たとえばレバー部材としてこれを形成し、作業者がこれをグリップ１１とともに握持および握持解放するように貼付機本体側板２と協働操作するもので、レバー軸１２のまわりにこれを回動操作することにより、ラベル移送部５、印字器６、インキローラー７（ローラー取付け部８）およびラベル剥離部９を稼働させる。
【００２９】
ラベル保持部４は、帯状のラベル連続体１３をロール状にした状態で保持する。
ラベル連続体１３は、帯状の台紙１３Ａに複数枚のラベル１３Ｂを仮着したものである。
【００３０】
ラベル移送部５は、操作部３に連結した連結駆動部１４と、連結駆動部１４により回転駆動する移送ローラー１５と、を有する。
移送ローラー１５がラベル連続体１３（台紙１３Ａ）と係合し、操作部３の操作により移送ローラー１５が間欠回転駆動してラベル保持部４からラベル連続体１３を繰り出して移送する。
【００３１】
印字器６は、操作部３の先端部に形成した左右一対のヨーク１６においてこれを挟持してあって、操作部３の握持操作により、インキローラー７が印字器６のスタンプ用活字１７にインキを供給塗布し、プラテン１８の上を移送されてくるラベル連続体１３（ラベル１３Ｂ）にスタンプ印字する。
【００３２】
インキローラー７は、右側の貼付機本体側板２Ａおよび左側の貼付機本体側板２Ｂの間に位置して、ローラー取付け部８にこれを回転可能かつ着脱可能に取付ける。
インキローラー７は、とくに図２（および図６）に示すように、中央支持パイプ１９と、中央支持パイプ１９の左右に位置する一対の支持フランジ２０と、インキを含浸しているスポンジ製のローラ本体２１と、を有し、中央支持パイプ１９から支持フランジ２０にかけてその軸方向に取付け用の中央貫通孔２２を形成し、ローラー取付け部８の取付けピン２４（後述）に回転自在かつ着脱可能にこれを取り付ける。
【００３３】
ローラー取付け部８は、インキローラー７を印字器６に対向して回転自在かつ着脱可能に取り付けるもので、左右一対の揺動アーム２３（インキローラー７の着脱用側板２Ａから見て手前側の手前側揺動アーム２３Ａ、および奥側の奥側揺動アーム２３Ｂ）と、取付けピン２４と、巻バネ２５（付勢部材）と、を有する。
【００３４】
手前側揺動アーム２３Ａおよび奥側揺動アーム２３Ｂは、左右一対の貼付機本体側板２Ａ、２Ｂの先端上方部にまたがって設けたアーム揺動軸２６にこれを回動可能に支持し、巻バネ２５により印字器６方向（図１中時計方向）に常時付勢して、インキローラー７（ローラー本体２１）を印字器６のインキローラー７の下方部に位置させているとともに、操作部３の握持操作にともなう印字器６すなわちヨーク１６の下降動作により、印字器６から図１中反時計方向にこれを揺動可能とする。
ただし、手前側揺動アーム２３Ａおよび奥側揺動アーム２３Ｂは、通常の握持およびその解放操作時には、巻バネ２５による付勢方向およびその反対方向（付勢方向とは反対方向）には一体に操作可能であるが、インキローラ７のローラ取付け部８からの交換時ないしローラ取付け部８への取付け時には、その反対方向（付勢方向とは反対方向）には互いに独立に操作可能である。
【００３５】
図４は、インキローラー７側から見た手前側揺動アーム２３Ａと取付けピン２４との係合状態を示している要部拡大説明図であって、手前側揺動アーム２３Ａは、取付けピン２４の自由端とした手前側一端部２４Ａを係脱可能に支持可能である。
すなわち、図１、図２、図３に示すように、ローラー着脱用側板２Ａの先端上部に摘み用窓２７（図１）を形成し、手前側揺動アーム２３Ａのアーム揺動軸２６とは反対側に一体にかつこの摘み用窓２７から上部外方に突出するように着脱用押し片２８を形成し、さらに、手前側揺動アーム２３Ａの先端部内方側に取付けピン２４方向に開放するＵ字形の係脱溝２９を形成する。
着脱用押し片２８を巻バネ２５の付勢力に抗して図３中反時計方向に押すように操作することにより、手前側揺動アーム２３Ａの先端部における係脱溝２９を取付けピン２４の手前側一端部２４Ａから離脱可能とし、着脱用押し片２８を離して巻バネ２５の付勢力により係脱溝２９と手前側一端部２４Ａとを係合可能としている。
逆に、奥側揺動アーム２３Ｂは、取付けピン２４の固定端とした奥側一端部２４Ｂを固定して支持しており、上述した手前側揺動アーム２３Ａの動作とは独立して、取付けピン２４を印字器６の下方部（後述する着脱用窓２Ｃに対向する部位）に残留させている。
【００３６】
取付けピン２４は、その手前側一端部２４Ａが係脱溝２９と係合可能なように、インキローラー７よりもやや長くこれを構成し、インキローラー７にピン受け用に形成した上記中央貫通孔２２に挿脱可能で、上述のように、ローラー取付け部８における手前側揺動アーム２３Ａおよび奥側揺動アーム２３Ｂの先端部分にインキローラー７を着脱可能とする。
【００３７】
なお、とくに図１および図２に示すように、貼付機本体側板２のうち、右側の貼付機本体側板２Ａ（ローラー着脱用側板）には、ローラー取付け部８のインキローラー７に位置して軸線を合せ、このインキローラー７を着脱ないし交換可能とするための円形の着脱用窓２Ｃを開口形成してある。
上記取付けピン２４は、携帯式ラベル印字貼付機１ないし操作部３の非動作時には、この着脱用窓２Ｃと互いの中心線を合せた対向状態にある。
【００３８】
ラベル剥離部９は、左右一対の貼付機本体側板２Ａ、２Ｂにまたがった転向ピン３０を有し、移送部５の動作にともなってラベル連続体１３のラベル１３Ｂを台紙１３Ａから剥離して、剥離したラベル１３Ｂをラベル貼付部１０の下方部に位置させる。
【００３９】
ラベル貼付部１０は、貼付けローラー３１を有し、ラベル剥離部９から剥離されたラベル１３Ｂを所定の物品に貼り付け可能とする。
【００４０】
つぎに、図５は、本発明の第１の実施例によるインキローラー収納容器４０の斜視図、図６は、同、断面図であって、インキローラー収納容器４０は、合成樹脂材料その他任意の材料によりこれをインキローラー７と同様に軸方向に垂直な断面を円形形状に形成するもので、容器本体４１と、キャップ４２と、ガイド部４３と、ストッパー部４４と、を有する。
【００４１】
容器本体４１は、その先端部に開口部４５を有する有底円筒形に形成してもので、その内部にインキローラー７を収納してこれを保管可能であるとともに、その開口部４５からローラー着脱用側板２Ａの着脱用窓２Ｃを介してローラー取付け部８にインキローラー７を供給可能とする。
容器本体４１は、インキローラー７と軸方向を合せて、すなわち、インキローラー７の中央貫通孔２２が開口部４５から着脱用窓２Ｃを通って貼付機本体側板２（ローラー着脱用側板２Ａ）の内方に（取付けピン２４方向に）向かうことができるようにインキローラー７を収納している。
【００４２】
キャップ４２は、容器本体４１の開口部４５を開閉するもので、キャップ４２の開閉操作を容易にするための開閉用摘み片４６を突出形成している。
【００４３】
図７は、着脱用押し片２８を操作することによって手前側揺動アーム２３Ａを取付けピン２４から離脱させた状態を示す概略断面図、図８は、同、手前側揺動アーム２３Ａを取付けピン２４から離脱させた上で、インキローラー収納容器４０の容器本体４１のガイド部４３を貼付機本体側板２（右側のローラー着脱用側板２Ａ）の着脱用窓２Ｃに挿通した状態を示す概略断面図である。
ガイド部４３は、ストッパー部４４をはさんで容器本体４１の開口部４５側に位置しているとともに、ローラー着脱用側板２Ａに形成した着脱用窓２Ｃに挿脱可能であり、ガイド部４３および着脱用窓２Ｃを介して容器本体４１内のインキローラー７を開口部４５からローラー取付け部８（取付けピン２４）に取り付け可能とする。
すなわち、ガイド部４３は、少なくともインキローラー７を容器本体４１からローラー取付け部８にまで橋渡しして送り込むことができるだけの長さ、あるいは、少なくともインキローラー７を容器本体４１から取り付けピン２４ないしその手前側一端部２４Ａに係合可能とするだけの長さを有する。
図示のように、ストッパー部４４を形成した場合には、ストッパー部４４から開口部４５までの長さがガイド部４３の長さとなる（図１２にもとづいて後述する説明を参照）。
【００４４】
とくに図６に示すように、ストッパー部４４は、容器本体４１の円周部分にフランジ形状に所定の長さだけ外方に突出しており、着脱用窓２Ｃが位置するローラー着脱用側板２Ａに係合して、容器本体４１が貼付機本体側板２の内方に所定長さ以上突出することを制止する。
このストッパー部４４としては、容器本体４１の円周方向に連続あるいは不連続、ないし断続的にフランジ形状以外にも任意の形態の突出形状であればよい。
【００４５】
こうした構成の携帯式ラベル印字貼付機１およびインキローラー収納容器４０において、携帯式ラベル印字貼付機１のローラー取付け部８からインキローラー７の取出しないし交換作業および取付け作業について以下説明する。
図１に示すように、携帯式ラベル印字貼付機１の操作部３およびグリップ１１を一緒に握持して操作部３をレバー軸１２のまわりに時計方向に回動操作すると、印字器６が同じく時計方向にプラテン１８の方向に向かって移動し、インキローラー７がスタンプ用活字１７にインキを塗布し、プラテン１８上のラベル連続体１３（ラベル１３Ｂ）に印字を行う。
操作部３の握持を解放することにより、ラベル移送部５において連結駆動部１４が移送ローラー１５を図１中反時計方向に回動駆動し、ラベル連続体１３を下流側に移送するとともに、ラベル連続体１３の台紙１３Ａのみをラベル剥離部９の転向ピン３０において転向させ、台紙１３Ａからラベル１３Ｂを剥離する。
この状態で、操作者が携帯式ラベル印字貼付機１全体を所定の物品に向かって打ち出すように操作し、ラベル貼付部１０の貼付けローラー３１によりラベル１３Ｂを貼り付けることができる。
【００４６】
携帯式ラベル印字貼付機１は、その非操作時には、図１に示す状態にあり、ローラー取付け部８のインキローラー７は、右側の貼付機本体側板２（右側のローラー着脱用側板２Ａ）の着脱用窓２Ｃに対向位置している。
ローラー取付け部８からインキローラー７を取り外すには、図７を参照すると、着脱用押し片２８を操作することによってローラー取付け部８の手前側揺動アーム２３Ａと取付けピン２４との係合を解除し、手前側揺動アーム２３Ａを取付けピン２４から離反させた上で、また、携帯式ラベル印字貼付機１全体を着脱用窓２Ｃが鉛直方向下方側に向くように傾斜させれば、インキローラー７は、自重により取付けピン２４に沿ってスライドして着脱用窓２Ｃから貼付機本体側板２の外部に排出される（ローラー取外し工程）。
【００４７】
ローラー取付け部８に新しいインキローラー７を取り付けるには、キャップ４２を取り外した容器本体４１の開口部４５をローラー着脱用側板２Ａの着脱用窓２Ｃにあてがってガイド部４３を取付けピン２４の軸方向に合せるとともに、巻バネ２５の付勢力に抗して着脱用押し片２８を操作し（図１中反時計方向）、ローラー取付け部８の手前側揺動アーム２３Ａを取付けピン２４との係合を解除する状態にした上で、着脱用窓２Ｃを鉛直方向上方側に向けるように携帯式ラベル印字貼付機１全体および容器本体４１を傾斜して容器本体４１内のインキローラー７をガイド部４３、開口部４５および着脱用窓２Ｃから取付けピン２４に係合するようにローラー取付け部８に取り付ける（ローラー取付け工程）。
さらに着脱用押し片２８を離し、巻バネ２５の付勢力により手前側揺動アーム２３Ａを取付けピン２４に係合させるように原係合位置に復帰させる（アーム復帰工程）。
最後に、容器本体４１を着脱用窓２Ｃから分離する（容器本体分離工程）。
なお、容器本体分離工程とアーム復帰工程とは、逆の手順で行っても構わない。
【００４８】
かくして、作業者は、インキローラー７のインキにより自分の手を汚すことなく、また貼付機本体側板２Ａの着脱用窓２Ｃ付近を汚すこともなく、きわめて簡単かつ確実、迅速にインキローラー７を取り外し、かつ交換することができる。
【００４９】
なお、図９、図１０、図１１は、取付けピン２４（手前側一端部２４Ａ）およびインキローラー７（支持フランジ２０）部分の拡大説明図であって、図９および図１０に示すように、ローラー取付け部８の取付けピン２４の手前側一端部２４Ａの先端部に、インキローラー７の中央貫通孔２２に向かって先細となるテーパー部（アール面部４７、テーパー面部４８）を形成することにより、手前側一端部２４Ａの先端部が中央貫通孔２２にガイドされやすくなる。
すなわち、取付けピン２４およびインキローラー７それぞれの中心軸線が一致していなくても、アール面部４７あるいはテーパー面部４８に誘導されて、インキローラー７の取付け時における取付けピン２４と中央貫通孔２２との係合をより確実にすることができる。
あるいは、図１１に示すように、インキローラー７の中央貫通孔２２に、取付けピン２４の手前側一端部２４Ａの先端部に向かって広がるテーパー部（テーパー面部４９）を形成することにより、取付けピン２４と中央貫通孔２２との係合をより確実にすることができる。
なお、図９、図１０、図１１に示したそれぞれの構成を任意に組み合わせたものを採用することもできる。
【００５０】
インキローラー７が取付けピン２４に間違いなく確実に係合して取り付けられるためには、取付けピン２４、貼付機本体側板２（右側のローラー着脱用側板２Ａ）の着脱用窓２Ｃ、インキローラー収納容器４０、インキローラー７および中央貫通孔２２などの間には、以下の関係が必要である。
すなわち、図１２は、取付けピン２４、貼付機本体側板２（右側のローラー着脱用側板２Ａ）の着脱用窓２Ｃ、インキローラー収納容器４０、インキローラー７および中央貫通孔２２などの相対関係を示す要部拡大断面図である。
ただし、取付けピン２４としては、図９のアール面部４７（テーパー部）を形成したものを例示している。また、取付けピン２４と着脱用窓２Ｃとはその中心軸線が一致しており、インキローラー収納容器４０は、そのガイド部４３が着脱用窓２Ｃの図中右内壁部に接触するように最大限偏って偏位しているとともに、インキローラー７は、その最大外径部をなす支持フランジ２０が容器本体４１の図中右内壁部に接触するように最大限偏って偏位している場合を図示している。
【００５１】
図示のように、インキローラー７および容器本体４１の軸方向の条件として、ローラー着脱用側板２Ａの着脱用窓２Ｃの外面部から取付けピン２４の先端までの距離をＸとするとともに、容器本体４１がローラー着脱用側板２Ａの着脱用窓２Ｃからローラー着脱用側板２Ａの内方に向かって突出する長さ（図２、図６に示した例では、ガイド部４３の長さ）をＹとしたときに、Ｘ＜Ｙ、とすれば、ガイド部４３によってインキローラー７を取付けピン２４の先端部（手前側一端部２４Ａ）にまで確実にガイドし、送り込むことができる。
【００５２】
さらに、インキローラー７および容器本体４１の径方向の条件として、ローラー着脱用側板２Ａの着脱用窓２Ｃの内壁部から取付けピン２４の最先端部（取付けピン２４の先端部における軸方向に直角な面の最外端）までの距離をＡとし、インキローラー７の最大外径部（支持フランジ２０の最大外径部）からその中央貫通孔２２の最大内径部までの距離をＢとし、容器本体４１（図示の例ではガイド部４３）の最大内径部とインキローラー７の最大外径部との差（ガタ部分の間隙）をＣとし、ガイド部４３の肉厚をＤとし、ローラー着脱用側板２Ａの着脱用窓２Ｃの最大内径部とガイド部４３の最大外径部との差（ガタ部分の間隙）をＥとしたときに、Ｂ＋Ｃ＋Ｄ＋Ｅ＜Ａ、とすれば、インキローラー７が容器本体４１の内部で径方向に多少ずれても、あるいは容器本体４１（ガイド部４３）が着脱用窓２Ｃの内部で径方向に多少ずれても、取付けピン２４とインキローラーの中央貫通孔２２との係合を確実に実現し、すなわち、インキローラー７の取付け作業者は、ローラー取付け部８における取付けピン２４とインキローラーの中央貫通孔２２との係合状態を気にせずに容易かつ迅速に作業を行うことができる。
【００５３】
つぎに図１３は、本発明の第２の実施例によるインキローラー収納容器５０の断面図であって、インキローラー収納容器５０においては、容器本体４１にストッパー部４４を形成せず、容器本体４１の開口部４５側の外周面自体をガイド部４３としている。
このインキローラー収納容器５０においては、ガイド部４３の長さ自体は、着脱用窓２Ｃに挿入する長さ自体に対応し、作業者がこれを任意に選択可能である。
【００５４】
こうした構成のインキローラー収納容器５０を用いることによっても、上述のインキローラー収納容器４０（図５）の場合と同様に、インキローラー７をローラー取付け部８に容易かつ迅速に取り付けることができる。
ただし、容器本体４１自体がガイド部４３と同等の作用をすることになるので、着脱用窓２Ｃを通して容器本体４１全体をローラー着脱用側板２Ａの内方に容器本体４１の任意の長さ分だけ挿入することが可能であり、この挿入長さについては操作者の手加減によることになる。
したがって、ストッパー部４４がないので、インキローラー収納容器５０の着脱用窓２Ｃへの挿入操作に注意を要する反面、インキローラー収納容器５０の開口部４５がローラー着脱用側板２Ａ内の取付けピン２４を被うまでに深く位置させることが可能であり、さらに確実にインキローラー７を取付けピン２４（ローラー取付け部８）に送り届けることができる。
【図面の簡単な説明】
【００５５】
【図１】本発明の第１の実施例によるインキローラー収納容器４０とともに用いる携帯式ラベル印字貼付機１の概略側面図である。
【図２】同、ローラー取付け部８を印字器６側から見た要部説明図である。
【図３】同、ローラー取付け部８の斜視図である。
【図４】同、インキローラー７側から見た手前側揺動アーム２３Ａと取付けピン２４との係合状態を示している要部拡大説明図である。
【図５】同、本発明の第１の実施例によるインキローラー収納容器４０の斜視図である。
【図６】同、断面図である。
【図７】同、着脱用押し片２８を操作することによって手前側揺動アーム２３Ａを取付けピン２４から離脱させた状態を示す概略断面図である。
【図８】同、手前側揺動アーム２３Ａを取付けピン２４から離脱させた上で、インキローラー収納容器４０の容器本体４１のガイド部４３を貼付機本体側板２（右側のローラー着脱用側板２Ａ）の着脱用窓２Ｃに挿通した状態を示す概略断面図である。
【図９】同、取付けピン２４（手前側一端部２４Ａ）およびインキローラー７（支持フランジ２０）部分の拡大説明図であって、テーパー部（アール面部４７）を示している。
【図１０】同、取付けピン２４（手前側一端部２４Ａ）およびインキローラー７（支持フランジ２０）部分の拡大説明図であって、テーパー部（テーパー面部４８）を示している。
【図１１】同、取付けピン２４（手前側一端部２４Ａ）およびインキローラー７（支持フランジ２０）部分の拡大説明図であって、テーパー部（テーパー面部４９）を示している。
【図１２】同、取付けピン２４、貼付機本体側板２（右側のローラー着脱用側板２Ａ）の着脱用窓２Ｃ、インキローラー収納容器４０、インキローラー７および中央貫通孔２２などの相対関係を示す要部拡大断面図である。
【図１３】本発明の第２の実施例によるインキローラー収納容器５０の断面図である。
【符号の説明】
【００５６】
１  携帯式ラベル印字貼付機（図１）
２  貼付機本体側板
２Ａ  図２中右側の貼付機本体側板（ローラー着脱用側板）
２Ｂ  図２中左側の貼付機本体側板
２Ｃ  右側の貼付機本体側板２Ａに形成した着脱用窓（図１、図２、図７、図８）
３  操作部
４  ラベル保持部
５  ラベル移送部
６  印字器
７  インキローラー
８  ローラー取付け部
９  ラベル剥離部
１０  ラベル貼付部
１１  グリップ
１２  レバー軸
１３  ラベル連続体
１３Ａ  ラベル連続体１３の帯状の台紙
１３Ｂ  ラベル連続体１３のラベル
１４  連結駆動部
１５  移送ローラー
１６  操作部３に一体の左右一対のヨーク
１７  印字器６のスタンプ用活字
１８  プラテン
１９  インキローラー７の中央支持パイプ（図２、図６）
２０  インキローラー７の支持フランジ
２１  インキローラー７のローラー本体
２２  インキローラー７の中央貫通孔
２３  ローラー取付け部８の左右一対の揺動アーム
２３Ａ  手前側揺動アーム（図２、図３）
２３Ｂ  奥側揺動アーム（図２、図３）
２４  取付けピン
２４Ａ  取付けピン２４の手前側一端部（図２）
２４Ｂ  取付けピン２４の奥側一端部（図２）
２５  巻バネ（付勢部材）
２６  アーム揺動軸
２７  摘み用窓
２８  着脱用押し片
２９  手前側揺動アーム２３Ａに形成した係脱孔
３０  転向ピン
３１  貼付けローラー
４０  インキローラー収納容器（第１の実施例、図５、図６）
４１  容器本体
４２  キャップ
４３  ガイド部
４４  ストッパー部
４５  開口部
４６  開閉用摘み片
４７  アール面部（テーパー部、図９）
４８  テーパー面部（テーパー部、図１０）
４９  テーパー面部（テーパー部、図１１）
５０  インキローラー収納容器（第２の実施例、図１３）
Ｘ    ローラー着脱用側板２Ａの着脱用窓２Ｃの外面部から取付けピン２４の先端までの距離（図１２）
Ｙ    容器本体４１がローラー着脱用側板２Ａの着脱用窓２Ｃからローラー着脱用側板２Ａの内方に向かって突出する長さ（Ｘ＜Ｙ）（図１２）
Ａ    ローラー着脱用側板２Ａの着脱用窓２Ｃの内壁部から取付けピン２４の最先端部までの距離（図１２）
Ｂ    インキローラー７の最大外径部からその中央貫通孔２２の最大内径部までの距離（図１２）
Ｃ    容器本体４１の最大内径部とインキローラー７の最大外径部との差（図１２）
Ｄ    ガイド部４３の肉厚（図１２）
Ｅ    ローラー着脱用側板２Ａの着脱用窓２Ｃの最大内径部とガイド部４３の最大外径部との差（Ｂ＋Ｃ＋Ｄ＋Ｅ＜Ａ）（図１２）
【図１】
2006289760.tif 000003
【図２】
2006289760.tif 000004
【図３】
2006289760.tif 000005
【図４】
2006289760.tif 000006
【図５】
2006289760.tif 000007
【図６】
2006289760.tif 000008
【図７】
2006289760.tif 000009
【図８】
2006289760.tif 000010
【図９】
2006289760.tif 000011
【図１０】
2006289760.tif 000012
【図１１】
2006289760.tif 000013
【図１２】
2006289760.tif 000014
【図１３】
2006289760.tif 000015